(57)【要約】  本発明の実施形態は、可視光などの、入射ＩＲ放射線よりも波長が短い電磁放射線の出力を提供するために、アップコンバージョンにより赤外光（ＩＲ）放射線を検出するための改良型のデバイスに関する。本デバイスは、アノードと、アノードからＩＲ検知層を分離するホール遮断層と、ＩＲ検知層によりアノードから分離された有機発光層と、カソードとを含む。ホール遮断層は、アノードとカソードとの間に電位が印加されたとき、ＩＲ検知層がＩＲ放射線に放射されたときだけ有機発光層が電磁放射線を確実に生成するようにする。
2013532374.tif 000002
【特許請求の範囲】
【請求項１】
赤外（ＩＲ）放射線を検知するためのデバイスであって、
アノードと、
ホール遮断層と、
前記ホール遮断層により前記アノードから分離されたＩＲ検知層と、
前記ＩＲ検知層により前記アノードから分離された有機発光層と、
カソードと
を含み、
前記アノードと前記カソードとの間に電位が印加され、ＩＲ放射線が前記ＩＲ検知層に入射するとき、前記有機発光層内に電磁放射線出力が生成される、デバイス。
【請求項２】
前記ホール遮断層は、ＢＣＰ、ＵＧＨ２、ＢＰｈｅｎ、Ａｌｑ3、ｍＣＰ、Ｃ60、３ＴＰＹＭＢ、ＺｎＯナノ粒子、およびそれらの組合せからなる群から選択された材料を含む、請求項１に記載のデバイス。
【請求項３】
前記有機発光層は、ＩＲ放射線が前記ＩＲ検知層に入射するときだけ、前記電磁放射線出力を生成する、請求項１に記載のデバイス。
【請求項４】
前記アノードは透明であり、前記カソードは透明である、請求項１に記載のデバイス。
【請求項５】
前記アノードは、ＩＴＯ、ＩＺＯ、ＡＴＯ、ＡＺＯ、およびカーボンナノチューブからなる群から選択された材料を含む、請求項１に記載のデバイス。
【請求項６】
前記カソードは、ＬｉＦ／Ａｌ、Ａｇ、Ｃａ：Ｍｇ、ＬｉＦ／Ａｌ／ＩＴＯ、Ａｇ／ＩＴＯ、ＣｓＣＯ3／ＩＴＯ、およびＢａ／Ａｌからなる群から選択された材料を含む、請求項１に記載のデバイス。
【請求項７】
前記有機発光層は、ＭＥＨ−ＰＰＶ、Ａｌｑ3、およびＦＩｒｐｉｃからなる群から選択された材料を含む、請求項１に記載のデバイス。
【請求項８】
前記ＩＲ検知層は、有機性である、請求項１に記載のデバイス。
【請求項９】
前記有機ＩＲ検知層は、ＳｎＰｃ、ＳｎＰｃ：Ｃ60、ＡｌＰｃＣｌ、ＡｌＰｃＣｌ：Ｃ60、ＴｉＯＰｃ、およびＴｉＯＰｃ：Ｃ60からなる群から選択された材料を含む、請求項８に記載のデバイス。
【請求項１０】
前記ＩＲ検知層は、無機性である、請求項１に記載のデバイス。
【請求項１１】
前記無機ＩＲ検知層は、ＰｂＳｅおよびＰｂＳからなる群から選択された材料を含む、請求項１０に記載のデバイス。
【請求項１２】
前記ＩＲ検知層から前記有機発光層を分離する、ホール輸送層をさらに含む、請求項１１に記載のデバイス。
【請求項１３】
前記ホール輸送層は、ＴＡＰＣ、ＮＰＢ、およびＴＰＤからなる群から選択された材料を含む、請求項１２に記載のデバイス。
【請求項１４】
前記カソードから前記有機発光層を分離する、電子輸送層をさらに含む、請求項１０に記載のデバイス。
【請求項１５】
前記電子輸送層は、３ＴＰＹＭＢ、ＢＣＰ、ＢＰｈｅｎ、およびＡｌｑ3からなる群から選択された材料を含む、請求項１３に記載のデバイス。
【請求項１６】
前記カソードから注入された電子と、前記ＩＲ検知層から注入されたホールとが結合することにより、前記有機発光層内で、前記放射線出力が生成される、請求項１に記載のデバイス。
【請求項１７】
前記カソードから注入された前記電子は、前記カソードから電子輸送層を通り、前記発光層まで進む、請求項１６に記載のデバイス。
【請求項１８】
前記ＩＲ検知層から注入された前記ホールは、前記ＩＲ検知層からホール輸送層を通り、前記発光層まで進む、請求項１６に記載のデバイス。
【請求項１９】
電磁放射線出力は、前記電位が閾値の大きさに達するまで生成されない、請求項１に記載のデバイス。
【請求項２０】
前記ホール遮断層と前記ＩＲ検知層との間の電荷生成は無視できる、請求項１に記載のデバイス。
【請求項２１】
デバイスを関心領域に配置するステップを含む、赤外（ＩＲ）放射線を検出する方法であって、
前記デバイスは、
アノードと、
ホール遮断層と、
前記ホール遮断層により前記アノードから分離されたＩＲ検知層と、
前記ＩＲ検知層により前記アノードから分離された有機発光層と、
カソードと
を含み、
前記方法は、さらに、
前記アノードと前記カソードとの間に電位が印加され、ＩＲ放射線が前記ＩＲ検知層に入射するとき、前記有機発光層内に電磁放射線出力が生成される、ステップと、
前記電磁放射線出力が検出されたときＩＲ放射線が前記関心領域に存在すると決定するように、前記電磁放射線出力を監視するステップと
を含む、赤外（ＩＲ）放射線を検出する方法。
【請求項２２】
前記ホール遮断層は、ＢＣＰ、ＵＧＨ２、ＢＰｈｅｎ、Ａｌｑ3、ｍＣＰ、Ｃ60、３ＴＰＹＭＢ、ＺｎＯナノ粒子、およびそれらの組合せからなる群から選択された材料を含む、請求項２１に記載の方法。
【請求項２３】
前記有機発光層は、ＩＲ放射線が前記ＩＲ検知層に入射するときだけ、前記電磁放射線出力を生成する、請求項２１に記載の方法。
【請求項２４】
前記アノードは透明であり、前記カソードは透明である、請求項２１に記載の方法。
【請求項２５】
前記アノードは、ＩＴＯ、ＩＺＯ、ＡＴＯ、ＡＺＯ、およびカーボンナノチューブからなる群から選択された材料を含む、請求項２１に記載の方法。
【請求項２６】
前記カソードは、ＬｉＦ／Ａｌ、Ａｇ、Ｃａ：Ｍｇ、ＬｉＦ／Ａｌ／ＩＴＯ、Ａｇ／ＩＴＯ、ＣｓＣＯ3／ＩＴＯ、およびＢａ／Ａｌからなる群から選択された材料を含む、請求項２１に記載の方法。
【請求項２７】
前記有機発光層は、ＭＥＨ−ＰＰＶ、Ａｌｑ3、およびＦＩｒｐｉｃからなる群から選択された材料を含む、請求項２１に記載の方法。
【請求項２８】
前記ＩＲ検知層は、有機性である、請求項２１に記載の方法。
【請求項２９】
前記有機ＩＲ検知層は、ＳｎＰｃ、ＳｎＰｃ：Ｃ60、ＡｌＰｃＣｌ、ＡｌＰｃＣｌ：Ｃ60、ＴｉＯＰｃ、およびＴｉＯＰｃ：Ｃ60からなる群から選択された材料を含む、請求項２８に記載の方法。
【請求項３０】
前記ＩＲ検知層は、無機性である、請求項２１に記載の方法。
【請求項３１】
前記無機ＩＲ検知層は、ＰｂＳｅおよびＰｂＳからなる群から選択された材料を含む、請求項３０に記載の方法。
【請求項３２】
前記ＩＲ検知層から前記有機発光層を分離する、ホール輸送層をさらに含む、請求項３１に記載の方法。
【請求項３３】
前記ホール輸送層は、ＴＡＰＣ、ＮＰＢ、およびＴＰＤからなる群から選択された材料を含む、請求項３２に記載の方法。
【請求項３４】
前記カソードから前記有機発光層を分離する、電子輸送層をさらに含む、請求項３０に記載の方法。
【請求項３５】
前記電子輸送層は、３ＴＰＹＭＢ、ＢＣＰ、ＢＰｈｅｎ、およびＡｌｑ3からなる群から選択された材料を含む、請求項３３に記載の方法。
【請求項３６】
前記カソードから注入された電子と、前記ＩＲ検知層から注入されたホールとが結合することにより、前記有機発光層内で、前記放射線出力が生成される、請求項３１に記載の方法。
【請求項３７】
前記カソードから注入された前記電子は、前記カソードから電子輸送層を通り、前記発光層まで進む、請求項３６に記載の方法。
【請求項３８】
前記ＩＲ検知層から注入された前記ホールは、前記ＩＲ検知層からホール輸送層を通り、前記発光層まで進む、請求項３６に記載の方法。
【請求項３９】
電磁放射線出力は、前記電位が閾値の大きさに達するまで生成されない、請求項２１に記載の方法。
【請求項４０】
前記ホール遮断層と前記ＩＲ検知層との間の電荷生成は無視できる、請求項２１に記載の方法。
【発明の詳細な説明】
【技術分野】
【０００１】
（関連出願の相互参照）
本出願は、任意の図、表、または図面を含む、その全体が参照により本明細書に組み込まれている、２０１０年５月２４日に出願した米国仮出願第６１／３４７，６９６号の利益を主張するものである。
【背景技術】
【０００２】
赤外光（ＩＲ）から可視光へのアップコンバージョンデバイスは、夜間視認、測距、警備、および半導体ウエハ検査における適用可能性により、多くの研究的関心を集めてきた。初期には、近赤外光（ＮＩＲ）アップコンバージョンデバイスは、大部分が無機半導体のヘテロ接合構造に基づいていた。これらのデバイスは、連続する２つの部分、すなわち、光検出用の部分、および発光用の部分から構成される。アップコンバージョンデバイスは、主に、光検出の方法により区別される。これらのデバイスのアップコンバージョン効率は、一般的に低い。例えば、発光ダイオード（ＬＥＤ）と半導体ベースの光検出器とが一体化した、あるＮＩＲ光から可視光へのアップコンバージョンデバイスは、０．３％の最大外部変換効率を示す。有機発光ダイオード（ＯＬＥＤ）と一体化した無機ＩｎＧａＡｓ／ＩｎＰ光検出器を有する、ハイブリッド有機／無機アップコンバージョンデバイスは、０．２５％の外部変換効率を示すにすぎない。そうした無機アップコンバージョンデバイスおよびハイブリッドアップコンバージョンデバイスは、製造および処理するのにコストが掛かり、これらの製造は、大面積の適用例と相性が良くない。
【０００３】
Ｎｉ他、Ｊｐｎ．Ｊ．Ａｐｐｌ．Ｐｈｙｓ．２００１、４０、Ｌ９４８およびＣｈｉｋａｍａｔｓｕ他、Ａｐｐｌ．Ｐｈｙｓ．Ｌｅｔｔ．２００２、８１、７６９は、蛍光ＯＬＥＤをチタニルフタロシアニン（ＴｉＯＰｃ）光感応型ホール注入層と結合することにより、ＮＩＲから青色へのアップコンバージョンおよび赤色から緑色へのアップコンバージョンをそれぞれ示す、全体が有機性のアップコンバージョンデバイスを開示する。これら全体が有機性のアップコンバージョンデバイスは、極めて低い変換効率（０．０５％未満）を示す。有機増感物質が低い電荷解離効率を有する光発生励起子を生成し、蛍光ＯＬＥＤが５％未満の外部量子効率（ＥＱＥ）を示し、低い総合アップコンバージョン効率をもたらすので、アップコンバージョンデバイスに使用される光検出器は、低い量子効率を有する。
【先行技術文献】
【非特許文献】
【０００４】
【非特許文献１】Ｎｉ他、Ｊｐｎ．Ｊ．Ａｐｐｌ．Ｐｈｙｓ．２００１、４０、Ｌ９４８
【非特許文献２】Ｃｈｉｋａｍａｔｓｕ他、Ａｐｐｌ．Ｐｈｙｓ．Ｌｅｔｔ．２００２、８１、７６９
【発明の概要】
【課題を解決するための手段】
【０００５】
本発明の実施形態は、赤外（ＩＲ）放射線を検知し、より高いエネルギーの電磁放射線の出力を提供するためのデバイスであって、アノードと、ＩＲ検知層からアノードを分離するホール遮断層（ＨＢＬ）と、ＩＲ検知層によりアノードから分離された有機発光層と、カソードとを含む、デバイスに関する。ＩＲ放射線がＩＲ検知層に衝突したとき、アノードとカソードとの間に電位が印加されると、ホールおよび電子は、有機光子放射層内で結合し、電磁放射線を生成する。特定の実施形態では、アノードおよびカソードの一方または両方が透明である。特定の実施形態では、アノードは、ＩＴＯ、ＩＺＯ、ＡＴＯ、ＡＺＯ、およびカーボンナノチューブから選択された材料により作成することができ、カソードは、ＬｉＦ／Ａｌ、Ａｇ、Ｃａ：Ｍｇ、ＬｉＦ／Ａｌ／ＩＴＯ、Ａｇ／ＩＴＯ、ＣｓＣＯ3／ＩＴＯ、およびＢａ／Ａｌから選択された材料により作成することができる。ホール遮断層は、ＢＣＰ、ＵＧＨ２、ＢＰｈｅｎ、Ａｌｑ3、ｍＣＰ、Ｃ60、３ＴＰＹＭＢ、ＺｎＯナノ粒子、および／またはそれらの任意の組合せを含むことができる。有機光子放射層は、ＭＥＨ−ＰＰＶ、Ａｌｑ3、およびＦＩｒｐｉｃから選択された材料により作成することができる。ＩＲ光検出層は、ＳｎＰｃ、ＳｎＰｃ：Ｃ60、ＡｌＰｃＣｌ、ＡｌＰｃＣｌ：Ｃ60、ＴｉＯＰｃ、またはＴｉＯＰｃ：Ｃ60などの有機材料により作成することができ、または、ＰｂＳｅもしくはＰｂＳなどの無機材料により作成することができる。本発明の実施形態では、本デバイスは、ホール輸送用としてＴＡＰＣ、ＮＰＢ、もしくはＴＰＤなどの材料、ならびに／または、電子輸送用として３ＴＰＹＭＢ、ＢＣＰ、ＢＰｈｅｎ、およびＡｌｑ3などの材料から形成された、１つまたは複数の電荷輸送層を含むことができる。
【図面の簡単な説明】
【０００６】
【図１Ａ】従来技術を示す図であって、いかなる電荷遮断層も含まない、赤外光から緑色光へのアップコンバージョンデバイスの概略的なエネルギー準位図であり、暗所において印加電圧がない状態での概略的なエネルギーバンド準位図である。
【図１Ｂ】従来技術を示す図であって、いかなる電荷遮断層も含まない、赤外光から緑色光へのアップコンバージョンデバイスの概略的なエネルギー準位図であり、さらに暗所において低い電圧を印加した状態での概略的なエネルギーバンド準位図である。
【図２Ａ】本発明の実施形態による、ホール遮断層を含むＩＲ光から緑色光へのアップコンバージョンデバイスの概略的なエネルギーバンド準位図であり、暗所において印加電圧がない状態での概略的なエネルギーバンド準位図である。
【図２Ｂ】本発明の実施形態による、ホール遮断層を含むＩＲ光から緑色光へのアップコンバージョンデバイスの概略的なエネルギーバンド準位図であり、さらに暗所において高い電圧を印加した状態での概略的なエネルギーバンド準位図である。
【図２Ｃ】本発明の実施形態による、ホール遮断層を含むＩＲ光から緑色光へのアップコンバージョンデバイスの概略的なエネルギーバンド準位図であり、ＩＲ放射線内で電圧を印加した状態での概略的なエネルギーバンド準位図である。
【図３Ａ】ホール遮断材料としてＢＣＰおよびＵＧＨ２を有する、本発明の実施形態による様々な有機ホール遮断層を含む、ＩＲ光から緑色光へのアップコンバージョンデバイスの、暗所およびＩＲ放射線の照射下でのＩ−Ｖ特性を示す図である。
【図３Ｂ】ホール遮断材料としてＢＣＰおよびＵＧＨ２を含む、本発明の実施形態による様々な有機ホール遮断層を有する、ＩＲ光から緑色光へのアップコンバージョンデバイスの、暗所およびＩＲ放射線の照射下でのＬ−Ｖ特性を示す図である。
【図４Ａ】本発明の一実施形態による有機ＢＣＰホール遮断層を含むデバイスと比較しながら、本発明の実施形態による無機ＺｎＯホール遮断層を含む、ＩＲ光から緑色光へのアップコンバージョンデバイスの、暗所およびＩＲ放射線の照射下でのＩ−Ｖ特性を示す図である。
【図４Ｂ】本発明の一実施形態による有機ＢＣＰホール遮断層を含むデバイスと比較しながら、本発明の実施形態による無機ＺｎＯホール遮断層を含む、ＩＲ光から緑色光へのアップコンバージョンデバイスの、暗所およびＩＲ放射線の照射下でのＬ−Ｖ特性を示す図である。
【図５Ａ】いかなる電荷遮断層もないＱＤベースのＩＲ光から可視光へのアップコンバージョンデバイスの、暗所およびＩＲ放射線の照射下での概略的なエネルギーバンド準位図である。
【図５Ｂ】いかなる電荷遮断層もないＱＤベースのＩＲ光から可視光へのアップコンバージョンデバイスの、暗所およびＩＲ放射線の照射下でのＬ−Ｉ−Ｖ特性を示す図である。
【図６Ａ】本発明の一実施形態による、ＺｎＯホール遮断層を含むＱＤベースのＩＲ光から可視光へのアップコンバージョンデバイスの、暗所およびＩＲ放射線の照射下での概略的なエネルギーバンド準位図である。
【図６Ｂ】本発明の一実施形態による、ＺｎＯホール遮断層を含むＱＤベースのＩＲ光から可視光へのアップコンバージョンデバイスの、暗所およびＩＲ放射線の照射下でのＩ−Ｖ特性を示す図である。
【図６Ｃ】本発明の一実施形態による、ＺｎＯホール遮断層を含むＱＤベースのＩＲ光から可視光へのアップコンバージョンデバイスの、暗所およびＩＲ放射線の照射下でのＬ−Ｖ特性を示す図である。
【発明を実施するための形態】
【０００７】
有機発光ダイオード（ＯＬＥＤ）および高効率有機光検出器などの高効率有機発光デバイスが実証され、ＯＬＥＤおよびＩＲ光検出器が１つのデバイスに組み込まれた、全体が有機性のアップコンバージョンデバイスが発明者により開示されている（その全体が参照により本明細書に組み込まれており、特に、１つのデバイスに組み込まれた、ＯＬＥＤなどの有機発光デバイスおよびＩＲ光検出器などの、有機光検出器および全体が有機性のアップコンバージョンデバイスに関するその教示に関して組み込まれた、２０１０年１１月２４日に出願された、ＫｉｍらのＰＣＴ特許出願ＰＣＴ／ＵＳ２０１０／０５８０１５、およびＫｉｍら、Ａｄｖ．Ｍａｔｅｒ．２０１０、２２、２２６０−３を参照のこと）。これらは軽量で起伏がある可撓性プラスチック基板に適合するので、全体が有機性のアップコンバージョンデバイスは、適用例を他のより従来型の技術に利用することができない。不都合なことに、ＩＲ放射線が存在しなくても、オフ状態の有機アップコンバージョンデバイスは、低電圧において、アノードの仕事関数とＩＲ吸収光検出器の最高被占分子軌道（ＨＯＭＯ）とのわずかな差により、依然として、可視光を放射する可能性がある。
【０００８】
本発明の実施形態は、十分高い電圧におけるＩＲ放射線の照射下でのみ発光が起こる、ＯＬＥＤなどの有機発光デバイスと結合するＩＲ光検出器のアップコンバージョンから放射が起こる、改良型の赤外光画像処理デバイスに関する。本発明の他の実施形態は、コストが比較的低く、ほとんど電力を消費することなく、高いゲインおよび画像忠実度を有する、軽量の極めて感度が高いデバイスをもたらす製造方法に関する。特定の実施形態は、Ｋｉｍら、ＰＣＴ／ＵＳ２０１０／０５８０１５、またはＫｉｍら、Ａｄｖ．Ｍａｔｅｒ．２０１０、２２、２２６０−３に開示された、ＩＲ光から緑色光への有機アップコンバージョンデバイスの１つまたは複数を組み込むことができ、例示的な実施形態では、錫フタロシアニン：バックミンスターフラーレン（ＳｎＰｃ：Ｃ60）バルクヘテロ構造層ＩＲ光検出器は、発光層であるｆａｃ−トリス（２−フェニルピリジン）イリジウム（Ｉｒ（ｐｐｙ）3）ベースの燐光層と直列に結合しており、この構造は、従来のＯＬＥＤと同様の、図１Ａに図式化された構造により一般化することができる。
【０００９】
全体が有機性のアップコンバージョンデバイスでは、ＩＲ放射線が発生するまで、ＯＬＥＤなどの有機発光デバイスがオフ状態のままであるように、ホール輸送が少ないＩＲ増感層を有するのが有利である可能性がある。ＩＲ光励起が起こると、ホールは、有機発光層に注入され、ホールは、カソードから注入された電子と結合し、可視光などの、入射ＩＲ放射線よりも波長が短い光を放射する。インジウム錫酸化物（ＩＴＯ）アノードおよびＩＲ検出（吸収）錫（ＩＩ）フタロシアニン（ＳｎＰｃ）層を含むデバイスの場合のように、アノードの仕事関数とＩＲ吸収体のＨＯＭＯとの間のわずかな差により、図１Ｂに示すように、低電圧で、アノードからのホール注入が起こる。したがって、ＩＲ放射線がほとんどなく、またはＩＲ放射線が全くなくても、比較的低い電圧を電極に印加すれば、光を生成することができる。
【００１０】
本発明の実施形態では、全体が有機性のアップコンバージョンデバイスの性能は、電荷遮断層を含むことにより向上する。特定の実施形態では、図２Ａ、２Ｂ、および２Ｃに示すように、十分高い電圧およびＩＲ放射線が印加されるまで、ＩＴＯアノードからのホールキャリアが効率的に遮断され、アップコンバージョンデバイスの可視光輝度を抑えるように、ＩＴＯアノードとＳｎＰｃＩＲ光検出層との間に、ホール遮断層が配置される。ＩＴＯに加えて、アノードとして使用することができる他の材料には、限定されないが、インジウム亜鉛酸化物（ＩＺＯ）、アルミニウム錫酸化物（ＡＴＯ）、アルミニウム亜鉛酸化物（ＡＺＯ）、およびカーボンナノチューブが含まれる。ＳｎＰｃ：Ｃ60に加えて、使用することができる他の有機ＩＲ光検出器材料には、限定されないが、錫（ＩＩ）フタロシアニン（ＳｎＰｃ）、アルミニウムフタロシアニンクロライド（ＡｌＰｃＣｌ）、ＡｌＰｃＣｌ：Ｃ60、チタニルフタロシアニン（ＴｉＯＰｃ）、およびＴｉＯＰｃ：Ｃ60が含まれる。Ｉｒ（ｐｐｙ）3に加えて、使用することができる、ＯＬＥＤなどの他のエレクトロルミネセンス有機発光デバイスには、限定されないが、ポリ［２−メトキシ，５−（２’−エチル−ヘキシルオキシ）フェニレンビニレン］（ＭＥＨ−ＰＰＶ）、トリス（８−ヒドロキシキノリン）アルミニウム（Ａｌｑ3）、およびイリジウム（ＩＩＩ）ビス［（４，６−ジ−フルオロフェニル）−ピリジネート−Ｎ，Ｃ２’］ピコリネート（ＦＩｒｐｉｃ）が含まれる。カソードは、ＬｉＦ／Ａｌとすることができ、または、限定されないが、Ａｇ、Ｃａ：Ｍｇ、ＬｉＦ／Ａｌ／ＩＴＯ、Ａｇ／ＩＴＯ、ＣｓＣＯ3／ＩＴＯ、およびＢａ／Ａｌを含む、適当な仕事関数を有する任意の導体とすることができる。電子輸送層として使用することができる材料には、限定されないが、トリス［３−（３−ピリジル）メシチル］ボラン（３ＴＰＹＭＢ）、２，９−ジメチル−４，７−ジフェニル−１，１０−フェナンスロリン（ＢＣＰ）、４，７−ジフェニル−１，１０−フェナンスロリン（ＢＰｈｅｎ）、およびトリス−（８−ヒドロキシキノリノール）アルミニウム（Ａｌｑ3）が含まれる。ホール輸送層として使用することができる材料は、限定されないが、１，１−ビス［（ジ−４−トリルアミノ）フェニル］シクロヘキサン（ＴＡＰＣ）、Ｎ，Ｎ’−ジフェニル−Ｎ，Ｎ’（２−ナフチル）−（１，１’−フェニル）−４，４’−ジアミン（ＮＰＢ）、およびＮ，Ｎ’−ジフェニル−Ｎ，Ｎ’−ジ（ｍ−トリル）ベンジジン（ＴＰＤ）が含まれる。当業者は、その相対的な仕事関数、最高被占分子軌道（ＨＯＭＯ）レベル、最低空分子軌道（ＬＵＭＯ）レベル、層適合性、その製造中に使用される任意の所望の堆積方法の性質により、アノード、カソード、ＩＲ光検出器、ＯＬＥＤなどの有機発光デバイス、材料、ホール輸送層、および電子輸送層の適当な組合せを容易に特定することができる。
【００１１】
本発明のいくつかの実施形態では、ホール遮断層は、有機化合物とすることができる。様々な有機ホール遮断層、２，９−ジメチル−４，７−ジフェニル−１，１０−フェナンスロリン（ＢＣＰ）、およびｐ−ビス（トリフェニルシリル）ベンゼン（ＵＧＨ２）より形成された、本発明の実施形態によるＩＲ光から緑色光へのアップコンバージョンデバイスの、暗所およびＩＲ放射線の照射下での、Ｉ−Ｖ特性を図３Ａが示し、Ｌ−Ｖ特性を図３Ｂが示す。これらのホール遮断材料は、深いＨＯＭＯレベルを有する。これらの材料がさらに、小さいＬＵＭＯエネルギーを有するので、ホール遮断層とＩＲ増感層との間の電荷生成は無視できる。図３Ａおよび３Ｂに示すように、ホール遮断層を含むアップコンバージョンデバイスは、暗所では、より高いターンオン電圧を有する。ＢＣＰおよびＵＧＨ２に加えて、本発明の実施形態に使用することができる他の有機ホール遮断層には、限定されないが、４，７−ジフェニル−１，１０−フェナンスロリン（ＢＰｈｅｎ）、トリス（８−ヒドロキシキノリン）アルミニウム（Ａｌｑ3）、３，５’−Ｎ，Ｎ’−ジカルバゾール−ベンゼン（ｍＣＰ）、Ｃ60、およびトリス［３−（３−ピリジル）−メシチル］ボラン（３ＴＰＹＭＢ）が含まれる。
【００１２】
本発明の他の実施形態では、アップコンバージョンデバイス内に無機ホール遮断層を含むことができる。異なる厚さのＺｎＯホール遮断層を含む、ＩＲ光から緑色光へのアップコンバージョンデバイス、および比較用の有機ＢＣＰホール遮断層を含むデバイスの、暗黒状態およびＩＲ放射線の照射下での、Ｉ−Ｖ特性を図４Ａが示し、Ｌ−Ｖ特性を図４Ｂが示す。ＺｎＯホール遮断層を含むデバイスは、ＢＣＰデバイスと同様の特性を示す。ＺｎＯに加えて、本発明の実施形態に使用することができる他の無機ホール遮断層には、限定されないが、ＴｉＯ2、ＳｉＯ、ＳｉＯ2、Ｓｉ3Ｎ4、およびＡｌ2Ｏ3が含まれる。
【００１３】
本発明の他の実施形態では、ＩＲ光検出層は、無機性の例えば量子ドット（ＱＤ）とすることができ、ホール遮断層は、有機性または無機性とすることができる。図５Ａに示す、ホール遮断層が欠如した例示的なアップコンバージョンデバイスにおいて、ＰｂＳｅのＱＤ層が、ＩＲ増感物質として使用され、ＭＥＨ−ＰＰＶが、ＯＬＥＤなどのエレクトロルミネセンス有機発光デバイスとして使用される。図５Ａのデバイスは、ＱＤＩＲ検出層の近傍でホール遮断をしないことを示し、図５Ｂに示すように、ＱＤＩＲアップコンバージョンデバイスに関するＬ−Ｉ−Ｖ特性は、暗所とＩＲ放射電流密度と印加電圧に伴う輝度との差をほとんど示さず、低電圧で発光が起こることを示す。それと対照的に、図６Ａに示すように、ＺｎＯホール遮断層を含むＱＤＩＲアップコンバージョンデバイスは、暗所ではアノードからのホール注入を効果的に遮断する。このことは、ＺｎＯホール遮断層を含むＱＤＩＲアップコンバージョンデバイスに関する、図６Ｂおよび６ＣのＩ−ＶおよびＬ−Ｖ特性により示される。この実施形態では、ＩＲ放射線は、効果的な光学スイッチとして機能する。ＰｂＳｅに加えて、使用することができる他のＱＤには、限定されないが、ＰｂＳが含まれる。ＩＲ検出器として使用することができる他の無機材料には、限定されないが、Ｓｉ、Ｇｅ、およびＧａＡｓが含まれる。
【００１４】
本発明の実施形態は、赤外光（ＩＲ）放射線を検出し、可視光出力などの、入射ＩＲ放射線よりも波長が短い出力を提供するための方法および装置に関する。本発明の実施形態によるアップコンバージョンデバイスは、軽量で起伏がある可撓性プラスチック基板に適合するので、要素として、例えば、限定されないが、夜間視認、測距、警備、および半導体ウエハ検査を含む、いくつかの適用例に関するピクセルとして使用することができる。
【００１５】
参照または引用する、すべての特許、特許出願、仮出願、および文献は、それらが本明細書の明示的な教示と矛盾しない範囲で、すべての図および表を含めて、その全体が参照により本明細書に組み込まれている。
【００１６】
本明細書に説明した例および実施形態は、説明のためだけのものであり、それを踏まえて、様々な修正または変更を当業者に示唆し、これらの修正または変更を本出願の技術的思想および範囲内に含むものとすることを理解されたい。
【図１Ａ】
2013532374.tif 000003
【図１Ｂ】
2013532374.tif 000004
【図２Ａ】
2013532374.tif 000005
【図２Ｂ】
2013532374.tif 000006
【図２Ｃ】
2013532374.tif 000007
【図３Ａ】
2013532374.tif 000008
【図３Ｂ】
2013532374.tif 000009
【図４Ａ】
2013532374.tif 000010
【図４Ｂ】
2013532374.tif 000011
【図５Ａ】
2013532374.tif 000012
【図５Ｂ】
2013532374.tif 000013
【図６Ａ】
2013532374.tif 000014
【図６Ｂ】
2013532374.tif 000015
【図６Ｃ】
2013532374.tif 000016
【国際調査報告】
2013532374.tif 000017
2013532374.tif 000018